(57)【要約】本発明は、窄め可能な伸縮型洗面器を開示し、衛生陶器の分野に関する。従来技術では、折り畳んだ後でも依然として体積が大きすぎて使用が不便であり、構造が複雑であるという技術課題に対して、解決手段を提出した。前記洗面器は、支持フレームと、固定器と、支持フレームに取り付けられている水槽とを含み、前記支持フレームは、少なくとも５本のフレームバーが回動接続ユニットを介して互いに回動可能に接続されてなるものであり、前記支持フレームは、固定器と接続されており、前記固定器は、取付体と接続される。本発明は、引っ張ること、窄め可能な支持フレームに、折り畳み可能な水槽を合わせることで、洗面器全体が自由に伸縮して折り畳む効果を実現することができる。本発明は、構造が簡単であり、製造が容易であり、コストが低く、窄めた後に占める空間が極めて小さく、空間を極めて大きく節約し、市況の見込みが広い。【選択図】図１
2019520092.tif 000002
【特許請求の範囲】
【請求項１】
支持フレーム（１）と、固定器（２）と、支持フレーム（１）内に取り付けられている折り畳み可能な水槽（３）と、を備える窄め可能な伸縮型洗面器であって、
前記支持フレーム（１）は、少なくとも５本のフレームバー（４）が回動接続ユニット（５）を介して互いに回動可能に接続されてなるものであり、
前記支持フレーム（１）は、固定器（２）と接続されており、
前記固定器（２）は、取付体（６）と接続される、ことを特徴とする窄め可能な伸縮型洗面器。
【請求項２】
前記回動接続ユニット（５）は、回動リング（５１）と、回動軸（５２）とを備え、前記回動リング（５１）は、前記回動軸（５２）に嵌設されており、前記回動リング（５１）は、前記回動軸（５２）まわりに回動可能であり、前記回動リング（５１）は２つ以上であり、前記フレームバー（４）は、前記回動リング（５１）と接続されており、各回動リング（５１）は、１本のフレームバー（４）のみと接続されており、各回動接続ユニット（５）は、２本のフレームバー（４）のみを接続している、ことを特徴とする請求項１に記載の窄め可能な伸縮型洗面器。
【請求項３】
前記回動接続ユニット（５）は、ヒンジ接合構造である、ことを特徴とする請求項１に記載の窄め可能な伸縮型洗面器。
【請求項４】
前記２本のフレームバー（４）と前記回動接続ユニット（５）とが接続されるとき、フレームバー（４）と回動リング（５１）との接続箇所は、前記回動リング（５１）に対して中間に位置しておらず、それぞれ両側に偏っているとともに、前記回動リング（５１）の円心（５３）は、前記フレームバーの両側の延長線（７）によって画定された領域（８）の外に位置する、ことを特徴とする請求項１に記載の窄め可能な伸縮型洗面器。
【請求項５】
前記回動接続ユニット（５）により接続された２本のフレームバー（４）は、前記フレームバー（４）と回動リング（５１）との接続箇所及び角度を設定することにより、２本のフレームバー（４）が最終的に平行の状態まで回動可能であり、この際、前記２本のフレームバー（４）は、回動リング（５１）の円心（５３）を通る軸線（９）を対称軸とし、軸対称関係をなす、ことを特徴とする請求項１に記載の窄め可能な伸縮型洗面器。
【請求項６】
前記回動接続ユニット（５）と接続されている２本のフレームバー（４）は、前記フレームバーと回動リング（５１）との接続箇所に係止面（１０）がそれぞれ設けられており、２本のフレームバー（４）が必要な角度まで回動したとき、もう１本のフレームバー（４）における前記係止面（１０）に対応する面が係止対応面（１１）になり、２本のフレームバー（４）が必要な角度まで回動したとき、１本のフレームバーにおける係止面（１０）ともう１本のフレームバーにおける係止対応面（１１）とが当接する、ことを特徴とする請求項１に記載の窄め可能な伸縮型洗面器。
【請求項７】
前記固定器（２）は、支持フレーム（１）に設けられている取付穴（１２）である、ことを特徴とする請求項１に記載の窄め可能な伸縮型洗面器。
【請求項８】
前記固定器（２）又は前記支持フレーム（１）には、ストップブロック（１３）が取り付けられており、前記ストップブロック（１３）は、前記支持フレーム（１）の外側に位置し、支持フレーム（１）を完全に展開する際に、ストップブロック（１３）とフレームバー（４）の外側面とが密接する、ことを特徴とする請求項１に記載の窄め可能な伸縮型洗面器。
【請求項９】
前記水槽（３）は、軟質材料で製造され、又は、前記水槽（３）は、軟質材料と硬質材料との組合せで製造され、
前記水槽（３）が軟質材料と硬質材料との組合せで製造される場合、前記水槽（３）を折り畳む際の折り目（１４）が位置する箇所は軟質材料であり、前記水槽（３）の折り目以外の箇所（１５）は硬質材料である、又は硬質材料と軟質材料とを組み合わせた構造である、ことを特徴とする請求項１に記載の窄め可能な伸縮型洗面器。
【請求項１０】
固定器（２）又は支持フレーム（１）に取り付けられており、吐水口が回転できるように回転ユニット（１７）が設けられている水栓（１６）をさらに備える、ことを特徴とする請求項１に記載の窄め可能な伸縮型洗面器。
【請求項１１】
支持フレーム（１）に取り付けられており、形状及び大きさが前記支持フレーム（１）の形状及び大きさに対応する支持フレームカバー（１８）をさらに備え、支持フレームカバー（１８）において、前記支持フレーム（１）の回動接続ユニット（５）に対応する位置には、回転機構（１９）又は軟質接続部（２０）が設けられている、ことを特徴とする請求項１に記載の窄め可能な伸縮型洗面器。
【請求項１２】
前記支持フレーム（１）は、６本のフレームバー（４）が回動接続ユニット（５）を介して互いに回動可能に接続されることにより、環状に閉止された枠形構造になり、前記フレームバー（４）は、第３フレームバー（４３）、第４フレームバー（４４）、第５フレームバー（４５）、第６フレームバー（４６）、第７フレームバー（４７）及び第８フレームバー（４８）を有し、第７フレームバー（４７）と第５フレームバー（４５）の長さの和は、第６フレームバー（４６）の長さよりも小さく、第８フレームバー（４８）と第４フレームバー（４４）の長さの和は、第３フレームバー（４３）の長さよりも小さい、ことを特徴とする請求項１〜１１のいずれか一項に記載の窄め可能な伸縮型洗面器。
【請求項１３】
前記取付体（６）は、夾角構造であり、前記６本のフレームバー（４）は、第９フレームバー（４９）、第１０フレームバー（４１０）、第１１フレームバー（４１１）、第１２フレームバー（４１２）、第１３フレームバー（４１３）及び第１４フレームバー（４１４）を有し、前記６本のフレームバー（４）が、回動接続ユニット（５）を介して互いに回動可能に接続されることによって、環状に閉止された枠形構造になり、前記第９フレームバー（４９）及び第１０フレームバー（４１０）は、取付体の夾角の２つの面にそれぞれ固定されており、第１１フレームバー（４１１）と第１２フレームバー（４１２）の長さの和は、第１０フレームバー（４１０）の長さに等しく、第１３フレームバー（４１３）と第１４フレームバー（４１４）の長さの和は、第９フレームバー（４９）の長さに等しく、第１１フレームバー（４１１）及び第１２フレームバー（４１２）は、第１０フレームバー（４１０）に密接する位置まで回動可能であり、第１３フレームバー（４１３）及び第１４フレームバー（４１４）は、第９フレームバー（４９）に密接する位置まで回動可能である、ことを特徴とする請求項１〜１１のいずれか一項に記載の窄め可能な伸縮型洗面器。
【請求項１４】
前記回動接続ユニット（５）に接続されている２本のフレームバー（４）の各々は、両方が１本の直線となるまで回動したとき、２本のフレームバー（４）は、いずれも前記回動リングの円心（５３）の同じ側に位置し、この際、前記回動リングの円心（５３）の他方側にはフレームバー（４）の接続がいっさいなく、この側は、回動リング張出部（２１）と言い、支持フレーム（１）が展開状態であるとき、支持フレーム（１）の角に位置する角回動接続ユニット（２２）の回動リング張出部（２１）が支持フレーム（１）の内部に向いており、支持フレーム（１）の辺に位置する辺回動接続ユニット（２３）の回動リング張出部（２１）が支持フレーム（１）の外部に向いている、ことを特徴とする請求項１２に記載の窄め可能な伸縮型洗面器。
【発明の詳細な説明】
【技術分野】
【０００１】
本発明は、衛生陶器の分野に関し、具体的には、窄め可能な伸縮型洗面器に関する。
【背景技術】
【０００２】
全世界の人口数が急激に増加するに伴って、土地が再生不能資源であることも加えて、建設に用いられる土地が日増しに減少することによって、１人当たりが持つ居住空間がますます小さくなり、特に人口が密集する大中型都市では、この現象が特に目立つように見える。また、小部屋ホテル、小型カプセルアパート、旅行用レクレーショナルビークル、小型ヨットなどのような、空間がもともと限られている特殊な場合もある。よって、このような使用空間が限られている状況に対応するには、人々の生活に緊密に関連する製品を設計して製造する際に、なるべく製品の構造と材料などの創造を合理的且つ効率的に利用し、空間使用の効率を最大限に発揮し、過度に使用空間を占めることを回避することが要求されている。折り畳み式の家具は、伝統的な家具のデザインパターンを打破し、折り畳むことにより面積又は体積の大きい物をできるだけ圧縮することが可能であり、居室に多くの空間を空けることができるので、幅広い消費者に歓迎される。
【０００３】
洗面器は、一般的に、人々が洗面、うがいをするときに汚水を集めて排出する作用を果たすものである。しかし、洗面、うがいが終わった後の大部分の時間において、洗面器は、ほとんど使われていないが、常に大きな空間を占めている。そのため、洗面器の使用が必要となるときに展開して使用し、洗面器の使用が必要ではないときにそれを収容できることによって、空間を節約する効果を達成することを目的とする収容可能な洗面器という発明が提出され、現在も関連する設計と研究がなされている。
【０００４】
例えば、出願番号が２０１４２０２２３３６２．２である中国実用新案登録出願「手動及び電動折り畳み式の洗面台」には、折り畳み式の洗面台が開示されている。この洗面台について、滑走軌道内には「Ｌ」形の滑走板が嵌め込まれており、支持アームの一端が洗面器に接続され、他端が滑走板に接続されており、ケースの両側の板には、伸縮型かしめ頭がさらに設けられており、洗面器は普段「口」字形状のケース内まで縮まれているが、使用時には、人力で洗面器を引き上げ、支持アームによって滑走板を滑走軌道においてスライドするように連動させて、洗面器が高い所まで上昇してから、「Ｌ」形の「一」字状フックにより洗面器全体を伸縮型かしめ頭にかける。このように、普通の洗面器のように使用することができ、「口」字形状のケース内まで洗面器を縮める必要がある場合、手で引きリングを引っ張り、引きリングが引き線を介して２つのかしめ頭を縮むように連動させ、フックが抜け、洗面器がケース内まで縮むという技術手段が開示されている。この技術手段は、洗面器をケース内まで縮めることができるが、硬質の洗面器を採用し、かつ洗面器を収容するためのケース自体が大きな空間を占めるため、この手段は実際に洗面器の占める空間の圧縮を達成できない。しかも、複雑すぎる構造を採用したので、製造の難しさ及び製造コストを増やし、いったん壊れたら、修理が困難となる。
【０００５】
出願番号が０３２４２７７６．Ｘである中国実用新案登録出願「洗面器と水洗式便器とを組み合わせた衛生陶器」には、洗面器と、便器と、を備える衛生陶器が開示されている。前記洗面器は、折り畳み器を介して貯水タンクの上方と連通している。洗面器は、折り畳み器を介して接続されることにより、水平から垂直９０度までの動きを行うことができる。洗面器の水平から垂直９０度までの動きは、折り畳み器の接続により取水連動スイッチセット及び排水連動スイッチを制御することができる。便器の使用時には、洗面器を折り畳み器により９０度折り畳み、便器の使用後には、洗面器を水平位置まで引き下げればよい。この技術手段は、洗面器と便器とを組み合わせたものであり、一定の折り畳み能力も有するが、洗面器は硬質材料であるため、明らかに折り畳んでも洗面器が相変わらず大きな空間を占め、便器を折り畳むことができないことに加えて、装置全体が本当の意味での空間の節約という目的を達成できない。また、使用者は使用期間において洗面器と便器を交換する必要もあり、便利ではない。使用者が便器を使用する過程において、便器の上方に張り出す洗面器は、ユーザー体験に影響を与えることもある。
【０００６】
出願番号が２０１６１０６３７６２２．４である中国特許出願「折り畳み式洗面器」には、水槽と、水槽支持具と、水槽固定ユニットと、水槽支持具折り畳みユニットとを含み、水槽は、上端が開口しており、下端には、排水口が設けられており、その材料が折り畳み可能な防水材料であり、水槽支持具は、周囲が閉鎖され、前記水槽及びそれに入っている水の重さを支持可能な支持具であり、その透かし彫りの形状及び大きさが前記水槽の開口に対応し、水槽は前記水槽支持具と接続されており、水槽支持具は前記水槽支持具折り畳みユニットと接続されており、水槽支持具折り畳みユニットは壁と接続されており、水槽固定ユニットは、水槽を水槽支持具に固定し、水槽支持具折り畳みユニットは、水槽支持具を壁に固定するという技術手段が開示されている。この技術手段は、空間の利用において上記した２つの技術に対してある程度改善したが、構造が比較的に複雑であり、部材が多いので、製造コストが高くなり、取付けが複雑となり、壊れやすく、修理することが困難となり、洗面器の展開時も折畳時も、両手で操作する必要があり、ステップ数が多い。
【０００７】
出願番号が２０１６１０２８０１５１．６である中国特許出願「折り畳み式洗面台」は、水栓と、水栓の下方に設けられる洗面台主体とを含み、洗面台主体は、上部が開口する容器であり、洗面台主体は容積可変の構造であり、固定側と展開側とを有し、水栓の吐水は洗面台主体の開口部を経て洗面台内を指向し、固定側は固定した構造であり、展開側は、洗面台における水の重力又は水道水の衝撃力の作用で外に広がることで洗面台主体の開口部を拡張させることができる可動構造である。このような構造は、水の重力の作用で容器を押して開く必要があるため、壁に密接する一方の面と、斜面状を呈する他方の面が必要であるので、使用が不便である。このような構造はあまり堅固ではないことも加えて、容器の端部が僅かな力を受けると変形して抜け落ちる可能性がある。
【０００８】
出願番号が９１２２１８６５．７である中国実用新案登録出願「壁に付ける折り返し式洗面器スタンド」という発明において、支持具ケースを備え、支持具ケース内には、回動軸が取付けられており、洗面器スタンドが回動軸に取付けられており、回動軸には、ねじりバネが取付けられている。この発明も、折り畳み装置を有しているが、洗面器が設けられておらず、さらに別途に洗面器を合わせて使用する必要がある。しかも、対応する排水装置も設けられておらず、ただ日常的に洗面器を置くだけのものであり、洗面器の折り畳みと収容の問題を実際に解決していないので、ユーザー体験及び快適さも向上していない。
【０００９】
出願番号が２０１２１００２６３９４．９である中国特許出願「折り畳み式洗面器」は、洗面器を備え、洗面器にシンクパネルが取付けられており、シンクパネルの一方側に水栓が取付けられており、水栓の下端に下水道固定溝が取付けられており、下水道固定溝は下水道に接続されており、シンクパネルの下端に折り畳み支持具が取付けられており、シンクパネルと折り畳み支持具とは一体的に製造される。この発明は、洗面器主体の構造及び如何に洗面器主体の折り畳みを実現するかについて、まったく説明されておらず、実際の技術手段又は具体的な方法もいっさいないので、取り扱い性を有していない。
【００１０】
出願番号が２０１３１０１９９５６１．４である中国特許出願「新型壁折り畳み式洗面器スタンド」は、洗面器メインスタンドブラケットと、支持フレーム係合溝と、洗面器サブスタンドブラケット係合溝と、洗面器サブスタンドブラケットと、折り畳み締付け溝と、第１回転軸受と、支持フレームと、第２回転軸受と、締付け釘とを備え、前記洗面器メインスタンドブラケットの一方側は、第１回転軸受により壁の表面に固定されており、洗面器メインスタンドブラケットの中間には、支持フレーム係合溝が設けられており、洗面器メインスタンドブラケットの両側には、洗面器サブスタンドブラケット係合溝が設けられており、両端の洗面器サブスタンドブラケット係合溝には、洗面器サブスタンドブラケットが係合されており、支持フレーム係合溝の内部には、支持フレームが係合されており、支持フレームの他端は、第２回転軸受により壁の表面に固定されており、洗面器メインスタンドブラケットの右側の頂端には、折り畳み係合溝が設けられており、洗面器メインスタンドブラケットの上端の壁には、締付け釘が設けられている。この発明は、構造が複雑であり、利便性が低く、洗面器を収容する機能のみを実現し、ただ洗面器を壁にかける方法とは効果が同じであり、良好な折り畳みと収容の効果を果たすことができず、使用目的を実現するためには、さらに別途に洗面器を用意する必要があり、使用体験が好ましくない。
【発明の概要】
【００１１】
本発明は、折り畳みが不便で、かつ限られた空間を完全に利用できない従来技術の技術課題を解決するために、窄め可能な伸縮型洗面器を提供する。
【００１２】
上記の課題を解決するために、本発明は、以下のような技術手段により実現される。
【００１３】
支持フレームと、固定器と、支持フレーム内に設けられている折り畳み可能な水槽とを備え、前記支持フレームは、少なくとも５本のフレームバーが回動接続ユニットを介して互いに回動可能に接続されてなるものであり、前記支持フレームは、固定器と接続されており、前記固定器は、取付体と接続される、窄め可能な伸縮型洗面器である。洗面器を使用しない場合、支持フレームを取付体の方向へ押して窄めることができ、水槽も折り畳むことが可能であることに加えて、洗面器の占める空間を極めて大きく減少した。洗面器を使用する必要がある場合、支持フレームを外へ引っ張り出して広げれば使用できる。前記取付体は、壁、戸板、仕切り板又は本発明の洗面器の重さを支持可能な他の支持物を含むが、それらに限られていない。固定器の主な機能は、支持フレームを取付体に固定することであり、固定器を各種の取付体に取付けることが可能であるので、窄め可能な伸縮型洗面器が異なる場所と環境に適応でき、普遍適応性を有し、異なる場合において窄め可能な伸縮型洗面器に対する要求を満たすことができる。
【００１４】
好ましくは、前記回動接続ユニットは、回動リングと、回動軸とを備え、前記回動リングは、前記回動軸に嵌設されており、前記回動リングは、前記回動軸まわりに回動可能であり、前記回動リングは２つ以上であり、前記フレームバーは、前記回動リングと接続されており、各回動リングは、１本のフレームバーのみと接続されており、各回動接続ユニットは、２本のフレームバーのみを接続している。支持フレームを構成する各フレームバーは、いずれも回動接続ユニットの回動リングに接続されており、また、回動リングが回動軸まわりに回動可能であるので、フレームバーも回動軸まわりに回動可能となり、これにより支持フレームを展開させる又は窄める目的を実現する。
【００１５】
好ましくは、前記回動接続ユニットは、ヒンジ接合構造である。これにより、本発明のフレームバーを支持フレームとして実装するための接続方式が一層多様となり、多くの異なる場合での使用に一層適応できる。
【００１６】
好ましくは、前記２本のフレームバーと前記回動接続ユニットとが接続されるとき、フレームバーと回動リングとの接続箇所は、前記回動リングに対して中間に位置しておらず、それぞれ両側に偏っているとともに、前記回動リングの円心（円の中心）は、前記フレームバーの両側の延長線によって画定された領域の外に位置する。このようなフレームバーと回動リングとの接続構造を設計することは、もう１本のフレームバーと当該回動接続ユニットの接続のために位置を空けることにより、２本のフレームバーを同じ回動接続ユニットに同時に接続できるとともに、２本のフレームバー及び回動接続ユニットの三者の間の高さを一致させることができ、しかも、支持フレームを折り畳むときにフレームバーのいずれかと隣接するフレームバーとの完全な密接を確保できることを目的とする。
【００１７】
さらに、前記回動接続ユニットにより接続された２本のフレームバーは、フレームバーと回動リングとの接続箇所及び角度を設定することにより、２本のフレームバーが最終的に平行の状態まで回動可能であり、この際、前記２本のフレームバーは、回動リングの円心を通る軸線を対称軸とし、軸対称関係をなす。このようなフレームバーと回動リングとの接続構造の設計でしか、支持フレームを展開する際に同じ回動接続ユニットに接続されている２本のフレームバーが１本の直線となるまで回動可能であり、また、支持フレームを折り畳むときにフレームバーと隣接するフレームバーとの間の完全な密接を確保できることを実現できない。
【００１８】
好ましくは、前記回動接続ユニットと接続されている２本のフレームバーは、前記フレームバーと回動リングとの接続箇所に係止面がそれぞれ設けられており、２本のフレームバーが必要な角度まで回動したとき、もう１本のフレームバーにおける前記係止面に対応する面が係止対応面になり、２本のフレームバーが必要な角度まで回動したとき、１本のフレームバーにおける係止面ともう１本のフレームバーにおける係止対応面とが当接する。この構造により、必要に応じて回動リング及びフレームバーの回動角度を限定でき、これよって、支持フレームの展開時に、支持フレームの両側が回動接続ユニットに接続されているフレームバーにより、１８０度近くまで回動してもうすぐ１本の直線となろうとするときに係止されて引き続き回動できないことを達成する。支持フレームを押圧して窄めるときに、両手でまず両側のフレームバーを１本の直線にならないまで内へ押圧してから、取付体に平行な最外側のフレームバーを取付体の方向へ押圧しなければいけなかったが、これにより、片手で最外側のフレームバーを直接押圧する１つのステップだけで窄めを完成することを確保する。
【００１９】
好ましくは、前記固定器は、支持フレームに設けられている取付穴である。このような設計により、追加の固定装置なく支持フレームを直接取付体に取付けることができ、材料の節約、取付けプロセスの減少、簡潔で美しい構造を実現できる。
【００２０】
好ましくは、前記固定器又は前記支持フレームには、ストップブロックが取り付けられており、前記ストップブロックは、前記支持フレームの外側に位置し、支持フレームを完全に展開する際に、ストップブロックとフレームバー外側面とが密接する。ストップブロックを設けることにより、支持フレームが展開時に容易に揺動せず、洗面器全体が使用中に比較的に安定した状態にあるようにできる。
【００２１】
好ましくは、前記水槽は、軟質材料で製造され、又は、前記水槽は、軟質材料と硬質材料との組合せで製造され、前記水槽が軟質材料と硬質材料との組合せで製造される場合、前記水槽を折り畳む際の折り目が位置する箇所は軟質材料であり、前記水槽の折り目以外の箇所は硬質材料である、又は硬質材料と軟質材料とを組み合わせた構造である。水槽が軟質材料であるので、洗面器の完全な折り畳みを確実に実現でき、かつ軟質材料は現在種類が多く、材料の選択が便利であり、製造しやすく、コストが低く、重さが軽いという有益な効果をもたらす。水槽が軟質材料と硬質材料との組合せで製造されることにより、軟質の折り目により水槽の折り畳みを実現しながら、硬質の部分により水槽の展開時又は折畳時の平坦性と剛性を実現し、洗面器全体がより美しくなるという有益な効果をもたらす。
【００２２】
好ましくは、固定器又は支持フレームに取り付けられており、その吐水口が回転できるように回転ユニットが設けられている水栓をさらに含む。洗面器を使用するときに、水栓の吐水口の位置が水槽の中心になるように水栓を取付体から離れた方向へ回動させることで、便利に使用することができ、また、洗面器を窄めるときに、取付体に当接する位置まで水栓を回動させ、占める空間を一層減少することができるという有益な効果をもたらす。水栓と固定器又は支持フレームとの一体化により、さらに追加のボルトなどの部品を用いて別途に水栓を固定することなく、固定器又は支持フレームを取付けると同時に１つのステップで水栓の取り付けも完成し、取付け部材及びプロセスを減少し、取付け仕事量を減少し、取付けが一層簡単になる。
【００２３】
好ましくは、支持フレームに取り付けられており、その形状及び大きさが前記支持フレームの形状及び大きさに対応する支持フレームカバーをさらに備え、支持フレームカバーにおいて、前記支持フレームの回動接続ユニットに対応する位置には、回転機構又は軟質接続部が設けられている。水槽カバーフレームが水槽の辺縁を支持フレームに押し付けて固定することにより、水槽が使用過程において引っ張られてずれる又は抜け落ちることを防止すると共に、水槽の辺縁を遮ることで構造全体をよりきれいで美しくすることもできるという有益な効果をもたらす。水槽カバーフレームに設けられている回動機構又は軟質接続部により、支持フレームを窄める際に、水槽カバーフレームがフレームバーの動きに連動して動くことができる。
【００２４】
好ましくは、前記支持フレームは、６本のフレームバーが回動接続ユニットを介して互いに回動可能に接続されることにより、環状に閉止された枠形構造になり、前記フレームバーは、第３フレームバー、第４フレームバー、第５フレームバー、第６フレームバー、第７フレームバー及び第８フレームバーを有し、第７フレームバーと第５フレームバーの長さの和は、第６フレームバーの長さよりも小さく、第８フレームバーと第４フレームバーの長さの和は、第３フレームバーの長さよりも小さい。このような構造の設計により、支持フレームを窄めるときに、各フレームバーがいずれも完全に密接することができることを確保し、完全に窄めることができないことを防ぐという有益な効果をもたらす。
【００２５】
好ましくは、前記取付体は、夾角構造であり、前記６本のフレームバーは、第９フレームバー、第１０フレームバー、第１１フレームバー、第１２フレームバー、第１３フレームバー及び第１４フレームバーを有し、前記６本のフレームバーが、回動接続ユニットを介して互いに回動可能に接続されることによって、環状に閉止された枠形構造になり、前記第９フレームバー及び第１０フレームバーは、取付体の夾角の２つの面にそれぞれ固定されており、第１１フレームバーと第１２フレームバーの長さの和は、第１０フレームバーの長さに等しく、第１３フレームバーと第１４フレームバーの長さの和は、第９フレームバーの長さに等しく、第１１フレームバー及び第１２フレームバーは、第１０フレームバーに密接する位置まで回動可能であり、第１３フレームバー及び第１４フレームバーは、第９フレームバーに密接する位置まで回動可能である。このような構造は、特に、窄め可能な伸縮型洗面器を夾角が直角の壁の隅に取付ける必要がある場合に適応する。
【００２６】
好ましくは、前記回動接続ユニットに接続されている２本のフレームバーの各々は、両方が１本の直線となるまで回動したとき、２本のフレームバーは、いずれも前記回動リングの円心の同じ側に位置し、この際、前記回動リングの円心の他方側にはフレームバーの接続がいっさいなく、この側は、回動リング張出部と言い、支持フレームが展開状態であるとき、支持フレームの角に位置する角回動接続ユニットの回動リング張出部は支持フレームの内部に向いており、支持フレームの辺に位置する辺回動接続ユニットの回動リング張出部は支持フレームの外部に向いている。このような回動接続ユニットとフレームバーとの接続構造を設計することは、２つの機能を実現するためであり、一つ目は、支持フレームを折り畳むときに、フレームバーのいずれも、隣接するフレームバーと緊密に密接できることを確保するためである。二つ目は、支持フレームを展開状態から窄めて折り畳む状態まで押圧する時、上記のように第９フレームバー及び第１１フレームバーが第１０フレームバーに当接する方向へ動き、第８フレームバー及び第１２フレームバーが第７フレームバーに当接する方向へ動くように最終的に窄めを完成した後、第８フレームバーの外側面と第９フレームバーの外側面とが当接し、第１１フレームバーと第１２フレームバーの外側面とが当接するためであり、これは、占める空間が最も小さい窄め方式である。
【００２７】
本発明は、従来技術に対して、以下の有益な効果を有する。
１．本発明は、伸縮して折り畳み可能な構造フレーム、折り畳み可能な材料で製造された水槽及び他の関連部材を組み合わせて組み立てることによって構成された窄め可能な伸縮型洗面器であり、多重折り畳みの機能を実現することができる。この洗面器は、構造が巧みで合理的であり、構造が簡潔であり、折り畳んだ後に水槽及び支持フレームはいずれも完全に取付体に密接することができ、洗面器の占める空間が極めて少なくなり、空間を節約する効果を達成し、特に、空間が限られた小型居室、小部屋ホテル、小型カプセルアパート、旅行用レクレーショナルビークル、小型ヨットなどの場合に適用し、市況の見込みがよい。
【００２８】
２．本発明は、設計が科学的で合理的であり、しかも構造が簡単であり、洗面器を使用する際に支持フレームを外へ引っ張り出せば洗面器を完全に展開することができ、操作が簡単である。
【００２９】
３．本発明で使用される部品と部材は、市販の通常の製品であり、いずれも市場で購入することができ、特殊なプロセス加工を行う必要がないので、材料の費用及び加工コストを低減させ、使用者が使用過程において摩耗部材を交換したい場合に、自分で交換して組み立ててもよいので、洗面器の使用を延長させる効果を達成する。
【００３０】
４．本発明は、水槽を定期的に交換することができるので、使用上の衛生を保証し、病原菌をまき散らす可能性を低減させ、人体の健康に役立つ。水槽は、各種の形状として製造されて各種の図形及びパターンに組み合わせることができ、異なる使用者の異なる要求を満たすことを達成する。
【００３１】
５．本発明は、排水装置を合わせて使用することにより、汚水を迅速に排出することができ、引き続きの使用に便利である。
【図面の簡単な説明】
【００３２】
【図１】本発明の全体的な構造の模式図である。
【図２】本発明に係る支持フレームの構造の模式図である。
【図３】本発明に係る支持フレームの平面模式図である。
【図４】本発明の全体的な構造の模式図である。
【図５】本発明に係る夾角に取付けられる全体的な構造の分解模式図である。
【図６】本発明に係る夾角に取付けられる支持フレームの構造の模式図である。
【図７】本発明に係る３つの回動リングを含む回動接続ユニットの模式図である。
【図８】本発明に係る２つの回動リング及び係止面、係止対応面を含む回動接続ユニットの模式図である。
【図９】本発明に係るフレームバーを窄める際に回動リングとフレームバーとの接続構造の平面模式図である。
【図１０】本発明に係るフレームバーを展開する際に回動リングとフレームバーとの接続構造の平面模式図である。
【図１１】本発明に係る固定器の模式図である。
【発明を実施するための形態】
【００３３】
本発明の目的、技術手段及び利点をより明確にするために、以下では、本発明の実施例における図６〜１５を参照して、本発明の実施例における技術手段を明確に、完全に記載する。記載される実施例は、本発明の実施例のすべてではなく、その一部であることは明らかである。通常、ここでは、添付図面に記載されて示される本発明の実施例の詳細な記載は、保護を請求する本発明の範囲を制限することなく、本発明で選定される実施例を示すことのみを旨とする。本発明における実施例に基づいて、当業者は、創造的労働を行わずに得られる他のすべての実施例は、いずれも本発明の保護範囲に属する。
【００３４】
実施例１
本実施例に関連する添付図面は、図１、図３、図７、図８、図９、図１０、図１１である。本実施例は、支持フレーム１と、固定器２と、支持フレーム１に取り付けられている折り畳み可能な水槽３と、を備える窄め可能な伸縮型洗面器である。水槽３は、軟質材料と硬質材料との組合せで製造され、水槽を折り畳む際の折り目１４が位置する箇所は軟質材料であり、折り目以外の箇所１５は硬質材料と軟質材料とを組み合わせた構造であり、具体的には、硬質材料を軟質材料に貼り合わせた構造である。水槽３の上部の開口の形状及び大きさは、支持フレーム１の形状及び大きさに対応する。水槽３の取付体６に近い水槽内側面２４は地面に垂直であり、取付体６の面に平行であり、当該面に対向する、取付体６から離れた水槽外側面２５は、その角度が傾斜している。取付体６は、洗面器全体の重さを支持可能な壁、仕切り、戸板又は他の支持物である。
【００３５】
支持フレーム１は、６本のフレームバー４が回動接続ユニット５を介して互いに回動可能に接続されることにより、環状に閉止された四角枠形構造になり、四角枠となるように外へ引っ張ってもよく、完全に窄めるまで内へ押圧してもよい。フレームバー４は、硬質材料で製造される。フレームバー４は、第３フレームバー４３、第４フレームバー４４、第５フレームバー４５、第６フレームバー４６、第７フレームバー４７及び第８フレームバー４８を有し、第７フレームバー４７と第８フレームバー４８の長さの和は、第４フレームバー４４と第５フレームバー４５の長さの和に等しく、第７フレームバー４７と第５フレームバー４５の長さの和は、第６フレームバー４６の長さよりも小さく、第４フレームバー４４と第８フレームバー４８の長さの和は、第３フレームバー４３の長さよりも小さい。
【００３６】
支持フレーム１は、固定器２と接続されている。支持フレーム１には、固定ボルト２６が取り付けられており、水槽３の上部の開口と支持フレーム１とが接続されている辺縁には、固定ボルト２６に対応する掛け穴２７が設けられており、水槽３の掛け穴２７は、対応する固定ボルト２６に嵌められる。固定器２には、支持フレーム１の外側に位置するストップブロック１３が取り付けられており、支持フレーム１を完全に展開する時、フレームバーの外側面がストップブロック１３に密接する。
【００３７】
固定器２は、取付体６と接続されるものであり、固定器２には、固定穴３０が設けられており、固定器２は、ネジを固定穴３０に通して取付体６に締めることにより固定する。
【００３８】
回動接続ユニット５は、同じ回動軸５２に嵌設されている第１回動リング５１１、第２回動リング５１２及び第３回動リング５１３を有し、前記第２回動リング５１２は、前記第１回動リング５１１と第３回動リング５１３との間に挟まれており、前記回動接続ユニット５と接続されている２本のフレームバー４のうち第１フレームバー４１が第１回動リング５１１及び第３回動リング５１３と同時に接続されており、第２フレームバー４２が第２回動リング５１２と接続されている。
【００３９】
前記回動接続ユニット５と接続されている２本のフレームバー４は、回動リング５１との接続箇所が、回動リング５１に対して中間に位置しておらず、それぞれ両側に偏っているとともに、回動リング５１の円心５３がフレームバー４の両側の延長線７によって画定された領域８の外に位置する。前記回動接続ユニット５と接続されている２本のフレームバー４は、フレームバー４と回動リング５１との接続箇所及び角度を設定することにより、２本のフレームバー４が最終的に平行する位置まで回動可能であり、この際、この２本のフレームバー４は、回動リング５１の円心５３を通る軸線９に対し軸対称関係をなす。同じ回動接続ユニット５に接続されている２本のフレームバー４の各々は両方が１本の直線となるまで回動した後、２本のフレームバー４は、いずれも回動リング５１の円心５３の同じ側に位置し、この際、回動リング５１の円心５３の他方側にはフレームバー４の接続がいっさいなく、この側は、回動リング張出部２１と言い、支持フレーム１を展開する際に、支持フレーム１の４つの角に位置する角回動接続ユニット２２の回動リング張出部２１は、支持フレーム１の内部に向いており、支持フレーム１の２つの辺に位置する辺回動接続ユニット２３の回動リング張出部２１は、支持フレーム１の外部に向いている。本実施例におけるすべてのフレームバー４の高さが同じである。前記回動接続ユニット５と接続されている２本のフレームバー４は、前記回動リング５１との接続箇所に係止面１０が設けられており、２本のフレームバー４が１本の直線となるまで回動したとき、もう１本のフレームバー４における前記係止面１０に対応する面が係止対応面１１になり、２本のフレームバー４が１本の直線となるまで回動したとき、１本のフレームバーにおける係止面１０ともう１本のフレームバーにおける係止対応面１１とが当接する。
【００４０】
本実施例は、固定器２に水栓１６がさらに取り付けられており、水栓１６には、水栓１６の吐水口という部分が回転できるように回転ユニット１７が設けられている。
【００４１】
水槽３には、排水穴３２がさらに開設されており、排水穴３２は排水管３３の一端と接続されており、排水管３３の他端は、下水道と接続されており、排水管３３は、取付体６に近接する。排水管３３は、伸縮して曲げることが可能なベローズである。
【００４２】
洗面器の各部材の組立てが終わったら、使用時には、支持フレーム１を外へ引っ張ればよく、使用済み後には、支持フレーム１を取付体の側へ押圧すればよい。
【００４３】
実施例２
本実施例の構造は、実施例１に類似し、関連する添付図面として図２、図４を追加する。本実施例は、実施例１と比べると、本実施例の水槽が軟質材料で製造され、本実施例の固定器２が支持フレーム１における取付穴１２であり、本実施例のストップブロック１３及び水栓１６が固定器２ではなく、支持フレーム１に取り付けられている点において差異がある。本実施例は、水槽３が取付けられた支持フレーム１に取り付けられており、その形状及び大きさが支持フレーム１の形状及び大きさに対応する支持フレームカバー１８をさらに備えている。支持フレームカバー１８において支持フレーム１における回動接続ユニット５に対応する位置には、回転機構１９が設けられている。上記の差異を除いて、本実施例と実施例１の実施形態とは同じであり、ここでは繰り返して述べない。
【００４４】
実施例３
本実施例に関連する添付図面は、図５、図６、図８、図９、図１０である。本実施例は、支持フレーム１と、支持フレーム１に設けられている取付穴１２と、支持フレーム１に取り付けられている折り畳み可能な水槽３と、を備え、水槽３は、軟質材料と硬質材料との組合せで製造され、折り畳む際の折り目１４が位置する箇所は軟質材料であり、折り目以外の箇所１５は硬質材料であり、軟質材料と硬質材料との接続箇所は粘着することにより形成される。水槽３の上部の開口の形状及び大きさは、支持フレーム１の形状及び大きさに対応する。水槽３の取付体６に近い水槽内側面２４は地面に垂直であり、取付体６の面に平行であり、当該面に対向する、取付体６から離れた水槽外側面２５は、その角度が傾斜している。
【００４５】
支持フレーム１は、６本のフレームバー４が回動接続ユニット５を介して互いに回動可能に接続されることによって、環状に閉止された枠形構造になり、枠形となるように外へ引っ張ってもよく、完全に窄めるまで内へ押圧してもよい。フレームバー４は、硬質材料で製造される。本実施例において、前記取付体６は、平面でない夾角構造であり、フレームバー４は、第９フレームバー４９、第１０フレームバー４１０、第１１フレームバー４１１、第１２フレームバー４１２、第１３フレームバー４１３及び第１４フレームバー４１４を有し、第９フレームバー４９及び第１０フレームバー４１０は、取付穴１２により夾角の両側の取付体６にそれぞれ固定されており、両端に位置する第１１フレームバー４１１及び第１４フレームバー４１４は、回動接続ユニット５を介して第１０フレームバー４１０及び第９フレームバー４９とそれぞれ回動可能に接続されており、第１１フレームバー４１１と第１２フレームバー４１２の長さの和は、第１０フレームバー４１０の長さに等しく、第１３フレームバー４１３と第１４フレームバー４１４の長さの和は、第９フレームバー４９の長さに等しく、第１１フレームバー４１１及び第１２フレームバー４１２は、第１０フレームバー４１０に密接する位置まで回動可能であり、第１３フレームバー４１３及び第１４フレームバー４１４は、第９フレームバー４９に密接する位置まで回動可能である。
【００４６】
支持フレーム１には、固定ボルト２６が取り付けられており、水槽３の上部の開口と支持フレーム１とが接続されている辺縁には、固定ボルト２６に対応する掛け穴２７が設けられており、水槽３の掛け穴２７が対応する固定ボルト２６に被せられる。支持フレーム１には、支持フレーム１の外側に位置するストップブロック１３が取り付けられており、支持フレーム１を完全に展開するときに、フレームバーの外側面とストップブロック１３とが密接する。本実施例において、各回動接続ユニット５における回動リング５１は２つであり、フレームバー４ごとに１つの回動リング５１が接続されている。前記２本のフレームバー４と前記回動接続ユニット５とが接続されているときに、フレームバー４と回動リング５１との接続箇所は、回動リング５１に対して中間に位置しておらず、それぞれ両側に偏っており、即ち、回動リング５１の円心５３は、フレームバー４両側の延長線７によって画定された領域８の外に位置する。回動接続ユニット５のいずれかに接続されている２本のフレームバー４は、回動リング５１との接続箇所及び角度を設定することにより、前記２本のフレームバー４が回動リング５１の円心５３を通る軸線９に対し軸対称関係をなす。１つの回動接続ユニット５に接続されている２本のフレームバー４の各々が両方が１本の直線となるまで回動した後、２本のフレームバー４は、いずれも回動リング５１の円心５３の同じ側に位置し、この際、回動リング５１の円心５３の他方側にはフレームバー４の接続がいっさいなく、この側は、回動リング張出部２１と言い、すべてのフレームバー４の高さが同じである。そのうち、第９フレームバー４９と第１０フレームバー４１０、第１０フレームバー４１０と第１１フレームバー４１１、第９フレームバー４９と第１４フレームバー４１４との間の回動リング張出部２１は、支持フレーム１の内部に向いており、第１１フレームバー４１１と第１２フレームバー４１２、第１２フレームバー４１２と第１３フレームバー４１３、第１３フレームバー４１３と第１４フレームバー４１４との間の回動リング張出部２１は、支持フレーム１の外部に向いている。
【００４７】
本実施例は、支持フレーム１に取り付けられており、形状及び大きさが支持フレーム１の形状及び大きさに対応する支持フレームカバー１８をさらに備えている。支持フレームカバー１８において支持フレーム１における回動接続ユニット５に対応する各位置には、回転機構１９及び軟質接続部２０がそれぞれ設けられている。本実施例は、支持フレーム１に取り付けられている水栓１６と、水栓１６のボトムに取り付けられており、ネジ山が予め設けられており、外部の水管と接続されているコネクタ３１と、をさらに備える。水栓１６には、水栓１６の吐水口が回動できるように回転ユニット１７が設けられている。水栓１６の配置位置は、第９フレームバー４９と第１０フレームバー４１０との接続箇所である。
【００４８】
水槽３には、排水穴３２がさらに開設されており、排水穴３２は排水管３３の一端と接続されており、排水管３３の他端は、下水道と接続されており、排水管３３は、取付体６に近接し、排水管位置決め器３４により取付体６に固定される。
【００４９】
本実施例は、本発明の利点と特徴により、創造的に折り畳み可能な洗面器を、他の折り畳み洗面器を使用できない夾角空間に用いた。洗面器の各部材の組立てが終わったら、使用時には、支持フレーム１を外へ引っ張ればよく、使用済み後には、支持フレーム１を内へ押圧すればよい。
【００５０】
上記の実施例は、本発明の好ましい実施形態であるが、本発明の実施形態は、上記の実施例によって制限されることはない。本発明の精神的実質と原理を逸脱することなくなされた他の変更、修飾、置換、組合、簡略化のいずれも、等価の置換方式であるべきであり、本発明の保護範囲内に含まれるものとする。
【符号の説明】
【００５１】
１  ：  支持フレーム
２  ：  固定器
３  ：  水槽
４  ：  フレームバー
４１  ：  第１フレームバー
４２  ：  第２フレームバー
４３  ：  第３フレームバー
４４  ：  第４フレームバー
４５  ：  第５フレームバー
４６  ：  第６フレームバー
４７  ：  第７フレームバー
４８  ：  第８フレームバー
４９  ：  第９フレームバー
４１０  ：  第１０フレームバー
４１１  ：  第１１フレームバー
４１２  ：  第１２フレームバー
４１３  ：  第１３フレームバー
４１４  ：  第１４フレームバー
４１５  ：  第１５フレームバー
５  ：  回動接続ユニット
５１  ：  回動リング
５２  ：  回動軸
５３  ：  円心
５１１  ：  第１回動リング
５１２  ：  第２回動リング
５１３  ：  第３回動リング
６  ：  取付体
７  ：  フレームバーの両側の延長線
８  ：  フレームバーの両側の延長線によって画定された領域
９  ：  回動リングの円心を通る軸線
１０  ：  係止面
１１  ：  係止対応面
１２  ：  取付穴
１３  ：  ストップブロック
１４  ：  水槽の折り目
１５  ：  折り目以外の箇所
１６  ：  水栓
１７  ：  回転ユニット
１８  ：  支持フレームカバー
１９  ：  支持フレームカバーにおける回転機構
２０  ：  支持フレームカバーにおける軟質接続部
２１  ：  回動リング張出部
２２  ：  角回動接続ユニット
２３  ：  辺回動接続ユニット
２４  ：  水槽内側面
２５  ：  水槽外側面
２６  ：  固定ボルト
２７  ：  掛け穴
２８  ：  固定穴
２９  ：  コネクタ
３０  ：  排水穴
３１  ：  排水管
３２  ：  排水管位置決め器
【図１】
2019520092.tif 000003
【図２】
2019520092.tif 000004
【図３】
2019520092.tif 000005
【図４】
2019520092.tif 000006
【図５】
2019520092.tif 000007
【図６】
2019520092.tif 000008
【図７】
2019520092.tif 000009
【図８】
2019520092.tif 000010
【図９】
2019520092.tif 000011
【図１０】
2019520092.tif 000012
【図１１】
2019520092.tif 000013
【国際調査報告】
2019520092.tif 000014
2019520092.tif 000015
2019520092.tif 000016
2019520092.tif 000017